(57)【要約】【課題】ワンタッチで接続でき、かつ漏れを確実に防ぐことができることはもとより、パイプの接続状態を外方より目視することができるようにして、パイプ接続やコアリングの嵌着誤り等を未然に防止することにある。【解決手段】筒状の継手部材に一端を係合させた樹脂製の透視筒の外周を筒状の蓋部材で被覆し、かつ、この蓋部材の先端側を前記継手部材に螺着結合し、前記透視筒の内周側に挿入パイプの先端が当接する当接面を形成すると共に、前記蓋部材の外周面に形成した確認窓より前記透視筒を介して前記当接面を確認するようにした管継手である。【選択図】  図２
2010121782.tif 000002
【特許請求の範囲】
【請求項１】
筒状の継手部材に一端を係合させた樹脂製の透視筒の外周を筒状の蓋部材で被覆し、かつ、この蓋部材の先端側を前記継手部材に螺着結合し、前記透視筒の内周側に挿入パイプの先端が当接する当接面を形成すると共に、前記蓋部材の外周面に形成した確認窓より前記透視筒を介して前記当接面を確認するようにしたことを特徴とする管継手。
【請求項２】
筒状の継手部材に一端を嵌合させた樹脂製の透視筒の外周を筒状の蓋部材で被覆し、かつ、この蓋部材の先端側を前記継手部材に螺着結合し、前記透視筒の内周側に挿入パイプの先端が当接する当接面を形成すると共に、前記継手部材の外周面に形成した確認窓より前記透視筒を介して前記当接面を確認するようにしたことを特徴とする管継手。
【請求項３】
前記当接面は、前記透視筒の一端側内周面に求心方向に突設形成した請求項１又は２に記載の管継手。
【発明の詳細な説明】
【技術分野】
【０００１】
本発明は、給水、給湯或は冷暖房システム或は消火設備等に用いられる樹脂パイプをワンタッチで接続するための管継手に関する。
【背景技術】
【０００２】
この種のパイプ、特に樹脂パイプは、建物内の給水、給湯或は冷暖房配管や戸建住宅の床暖房などに広く実施されており、この樹脂パイプを接続するための管継手は、パイプとの接続作業が簡便で確実であり、しかも漏水の心配がないことが必要条件である。
【０００３】
この管継手は、一般に、先端にコアリングを嵌入した樹脂パイプを継手内に挿入すると、継手内の抜け止め部材の爪がパイプに喰い込んで抜け止めが規制され、また、パイプの内周や外周面をシールリングによってシールするようにしている構造が知られている（特許文献１、特許文献２等参照）。
【０００４】
しかし、この管継手は、パイプを挿入する作業の際に、施工業者が、継手内に所定量の樹脂パイプ長さが挿入されているか、または、コアリングを嵌入しているかを確認することができないし、施工後も、施工業者以外の者が、同様の確認をすることができないため、樹脂パイプと管継手との接続が不完全な場合に樹脂パイプの抜けや漏水に至る場合が生じていた。
【０００５】
そこで、この確認対策として、特許文献３や特許文献４等が提案されている。前者は、挿入するためのパイプの外周面にシール材を貼り付けてパイプの挿入部の長さを目安として接続する方法であり、後者は、パイプの長さ方向に管継手へのパイプ差込量を表示した周線を設け、この周線を目安に継手に挿入する方法である。
【先行技術文献】
【特許文献】
【０００６】
【特許文献１】特開平１１−２８０９８１号公報
【特許文献２】特許第２６８５１０５号公報
【特許文献３】特許第２９７５０１９号公報
【特許文献４】特開２０００−８８５１４号公報
【特許文献５】特開２０００−２６６２５２号公報
【発明の概要】
【発明が解決しようとする課題】
【０００７】
これらは、何れの方法も施工業者等がその施工手順を守ることが前提の方式であって、仮にこの施工手順に誤りがあると、接続が依然として不完全になり、しかも施工後に施工業者以外の者がこのミスを確認することは不可能であって、極めて信頼性に欠ける方式であり、結果的に課題のある方法であった。
【０００８】
これに対して、接続を確認する手段として、特許文献５が提案されているが、この方式は、パイプ内周をシールする内径シール方式であるから、確認孔等を設け易いが、通水口径をある程度確保する必要性から、シールリングのボリュームを大きくすることが困難となるため、シールリングの寿命も短かくなり、また、通常、パイプは、外径を基準にして製作されているので、内径の寸法や面状態の安定性に欠るため、ゴムの弾性のみでシールする構造ではシール性能が却って不安定になる等の課題を有している。
【０００９】
本発明は、従来の課題点に鑑みて開発したものであり、その目的とするところは、ワンタッチで接続でき、かつ漏れを確実に防ぐことができることはもとより、パイプの接続状態や継手内部を外方より目視することができるようにして、パイプ接続や内部部品の装着ミス等を未然に防止するようにした管継手を提供することにある。
【課題を解決するための手段】
【００１０】
上記の目的を達成するため、請求項１に係る発明は、筒状の継手部材に一端を係合させた樹脂製の透視筒の外周を筒状の蓋部材で被覆し、かつ、この蓋部材の先端側を前記継手部材に螺着結合し、前記透視筒の内周側に挿入パイプの先端が当接する当接面を形成すると共に、前記蓋部材の外周面に形成した確認窓より前記透視筒を介して前記当接面を確認するようにした管継手である。
【００１１】
請求項２に係る発明は、筒状の継手部材に一端を嵌合させた樹脂製の透視筒の外周を筒状の蓋部材で被覆し、かつ、この蓋部材の先端側を前記継手部材に螺着結合し、前記透視筒の内周側に挿入パイプの先端が当接する当接面を形成すると共に、前記継手部材の外周面に形成した確認窓より前記透視筒を介して前記当接面を確認するようにした管継手である。
【００１２】
請求項３に係る発明は、前記当接面は、前記透視筒の一端側内周面に求心方向に突設形成した管継手である。
【００１３】
この場合、筒状の継手部材と筒状の蓋部材を螺着して継手本体を構成し、透視筒は、継手部材の内周と挿入された樹脂パイプの外周面をシールリングでそれぞれ密封シールし、蓋部材の内部に装着した抜け止め部材で樹脂パイプを抜け止め保持した管継手が好ましい。
【００１４】
また、蓋部材は、めねじを有するキャップ又はおねじを有するブッシュとこれと対応するねじ部を有する継手部材を螺合して継手本体を構成するのが好ましい。また、確認窓は、継手部材又は蓋部材の何れかに形成し、透視筒は、樹脂パイプ以上の耐圧強度、耐冷熱性、耐加水分解性を有する樹脂材料で形成し、更に、この透視筒の外周面を継手部材と蓋部材で密封被覆した管継手が良い。
【発明の効果】
【００１５】
以上のことから明らかなように、本発明によると、樹脂パイプをワンタッチで接続することができ、しかも漏水のおそれがなく、長期間に亘って使用可能な管継手である。
【００１６】
また、確認窓から透視筒を通して、パイプが所定量挿入されたことを目視できるので、施工業者が施工時に挿入不足がないかを確認することができ、かつ、施工後、他者も確認することができるため、施工ミスによるパイプの抜けや漏水を未然に防止することができる。
【００１７】
また、その確認窓の内側の透視筒を通じて、コアリングをパイプに忘れずに嵌着したことを目視できたり、シールリングや抜け止め部材等の内部部品を目視できるので、上記と同様に未然に漏れ等の事故を防止することができる。
【００１８】
更に、透視筒は、給水・給湯配管等に使用されるに十分な耐圧強度、耐熱性、耐加水分解性を有する材料で、継手本体で覆われて保護されているので、長期間の使用に耐えることができる。
【図面の簡単な説明】
【００１９】
【図１】本発明における管継手の一例を示した斜視図である。
【図２】図１の一部断面で示した正面図である。
【図３】本発明の管継手の他例を示した一部切欠き断面図である。
【図４】本発明の管継手の更に他例を示した一部切欠き断面図である。
【図５】本発明の管継手の更に他例を示した一部切欠き断面図である。
【図６】本発明の管継手の更に他例を示した一部切欠き断面図である。
【図７】本発明の管継手の更に他例を示した一部切欠き断面図である。
【発明を実施するための形態】
【００２０】
本発明における管継手に樹脂パイプを接続する際の実施形態を図面に基づいて詳述する。
【００２１】
図１及び図２は、本発明における管継手の一例を示したもので、図中１は、黄銅または青銅等の金属製の継手本体であり、本例における継手本体１は、筒状の継手部材２のおねじ２ａと筒状の蓋部材（キャップ）３のめねじ３ａを螺合して構成しており、継手部材２の端部には、図示しないヘッダーや接続部材と連結するおねじ部２ｂ（又はめねじ部）を設けている。
【００２２】
この蓋部材３の外周面には、本例では、２つの確認窓４が略９０°以上にわたって略長方形に形成されており、継手部材２の内側段部面に係合面５を形成し、一方、蓋部材３の端部にパイプ挿入口６と蓋部材３の内周に装着面７をそれぞれ形成している。
【００２３】
また、図中８は、耐圧強度、耐冷熱性、耐加水分解性、耐塩素性を有する透明又は半透明状透視筒であり、この透視筒８は、ポリサルフォン又はポリエーテルサルフォン等の非晶性樹脂が好ましいが、ガラス等の材料であってもよい。図２における透視筒８は、継手部材２の係合面５に係合する係合部８ａと内周面にパイプ当接面９を形成し、更に、後端部にシールリング１０を装着する装着部８ｂを、先端部にシールリング１１を装着する装着段部８ｃをそれぞれ形成しており、シールリング１０、１１を同径のものを用いることができるようにしている。なお、この透視筒８の耐圧強度は、少なくとも後述する樹脂製パイプ１３より大である。
【００２４】
透視筒８は、パイプ１３の外周面と継手本体１の内周面との間に配置しているが、継手本体１を構成する蓋部材３のめねじ３ａ端部と、継手本体１のおねじ部２ａの基部２ｃとを当接させ、蓋部材３が必要以上にねじ込めないようにしているので、透視筒８は蓋部材３の締付力の影響を直接受けない構造となっている。また透視筒８は、確認窓４に対向する位置を除き、その外周を蓋部材３で密着被覆されており、蓋部材３との二重構造によっても流体圧に耐える構造としている。
【００２５】
図２において、１２は内周に突設した規制爪１２ａを有する抜け止め部材であり、この抜け止め部材１２の規制爪１２ａがパイプ１３の外周面に喰い込んでパイプの抜け止めを規制するようにしている。抜け止め部材１２と透視筒８との間には、シールリング１０及び抜け止め部材１２を所定位置に配置するためのスペーサ１５が設けられている。なお、継手本体１への蓋部材３の螺合が完了した状態、すなわち蓋部材３のめねじ３ａ端部と継手本体１のおねじ部２ｂの基部２ｃとが当接した状態において、蓋部材３の装着面７とスペーサ１５との間には、抜け止め部材１２が回転可能なスペースが確保されている。
【００２６】
パイプ１３は、架橋ポリエチレン又はポリブテン等の樹脂素材により成形されたパイプであり、このパイプ１３を管継手に接続する際に、パイプ１３の挿入部分に青黄銅等の金属製のコアリング１４を嵌着して、抜け止め部材１２の喰い込み量とシールリングのシール性を保持するようにしている。このコアリング１４の先端部には鍔部１４ａを形成しており、パイプ１３の端部を保護すると共に継手本体１へのパイプ１３の挿入が円滑に行えるようにしている。なお、パイプ１３は、樹脂製の他、銅製であってもよい。
【００２７】
次に、上記の実施形態における作用を説明する。図１及び図２において、継手本体１を組み込むには、継手部材２の係合面５の角部分にシールリング１１を装着し、次いで、透視筒８を継手部材２内に装入すると、透視筒８の係合部８ａが継手部材２の係合面５に係合されると共に、シールリング１１が装着段部８ｃに装着されて接液部分の透視筒８と継手部材２とが密封シールされる。更に、透視筒８の後端部に形成した装着部８ｂにシールリング１０を装着する。
【００２８】
次に、抜け止め部材１２とスペーサ１５を装着した蓋部材３のめねじ３ａを継手部材２のおねじ２ａに螺合すると、図１及び図２に示す継手本体１が構成される。この継手本体１に樹脂パイプ１３を接続する場合は、パイプ１３の先端よりコアリング１４を嵌着し、しかも、コアリング１４の鍔部１４ａがパイプ１３の端面に位置した状態に嵌着する。この樹脂パイプ１３を蓋部材３のパイプ挿入口６より挿入して、コアリング１４の鍔部１４ａが透視筒８の当接面９に当接するまで挿入する。すると、パイプ１３の外周面に抜け止め部材１２が喰い込んで、抜け止めされると共に、パイプ１３の外周面と透視筒８の内周面とがシールリング１０により確実に密封シールされる。
【００２９】
また、図２において、継手本体１に挿入した樹脂パイプ１３は、継手本体１の蓋部材３の外周面に形成した確認窓４より透明又は半透明状の透視筒８を介して外部より、目視することができる。この場合、樹脂パイプ１３に嵌着したコアリング１４も目視できると共に、内部に装着したシールリング１０，１１や抜け止め部材１２等の内部部品を外部より目視することができ、樹脂パイプ１３が所定量に達しない挿入不足や部品等の装着ミスを確認することができ、従前の課題点を解消することが可能となる。
【００３０】
確認窓４により継手本体１への樹脂パイプ１３の装着確認を終えた後、パイプ１３に冷水又は温水等の流体を流すと、流体は透視筒８とパイプ１３外周の隙間、及び透視筒８と継手部材２の隙間にそれぞれ進入するが、いずれもシールリング１０、１１によりシールされているので、流体が蓋部材３に設けられた確認窓４から管継手外部に漏れることはない。従って、透視筒８には流体圧が直接かかるが、透視筒８は流体圧を上回る耐圧強度を有する材質製であり、またその外周を蓋部材３で密着被覆されているので、破損することなく流体圧に耐えることができる。更に、透視筒８は樹脂製のパイプ１３よりも高い耐圧強度を有しているため、万が一パイプ１３が流体圧により損傷しても、透視筒８は損傷を受けない。従って本発明の管継手は、継手が有するべき強度を維持しつつ、継手外部からのパイプ１３の施工確認を行うことができるものである。
【００３１】
図３は、本発明における管継手の他例を示したもので、本例は、継手本体１をねじ部１６ｂを有する継手部材１６のめねじ１６ａと蓋部材（ブッシュ）１７のおねじ１７ａを螺合して構成した例であり、その他の構成部分は、図２の例と同様であるから、同一符号を用いる。
【００３２】
図４〜図８は、図２と図３に示した管継手の応用例を示したもので、特に、図４〜図６は、図２の例を示したが、図３の管継手の場合も包含される。図４は、継手部材２と透視筒８を一体成形した例であり、この場合は、両者を密封シールするシールリング１１を省くことができる。その他は、上記の例と同一の構成部品である。
【００３３】
図５は、継手部材２に確認窓１８を設け、更に、シールリング１０がキャップ３とパイプ１３と透視筒８とをシールする例である。この場合は、継手部材２に確認窓１８が設けられているから、特に、パイプ１３に嵌着したコアリング１４の鍔部１４ａが外部より確実に視認され、コアリング１４の嵌着忘れを未然に防止できる。
【００３４】
図６は、パイプ１３に嵌着したコアリング１４の鍔部１４ａを継手部材２の突当面２ｄに当接させた例であり、この場合は、パイプ１３の当接力の影響を透視筒８が直接受けない効果を有している。その他の部材は、図２と同様であるから同一符号を使用する。
【００３５】
図７は、透視筒８の端部にスペーサ機能部分を一体に成形してスペーサ部品１５を省いた例であり、その他の部分は、図２と同様の部品構成である。なお、本実施例記載の管継手は、配管施工時におけるパイプ１３のねじれや、流体負荷時におけるウォータハンマの発生によって、継手本体１に接続されたパイプ１３に回転力がかかった場合でも、抜け止め部材１２が回転可能に継手本体１に配置されていることにより、パイプ１３及びパイプ１３と一体となった抜け止め部材が回転するので、継手本体１がねじれて損傷することがない。
【符号の説明】
【００３６】
１  継手本体
２  継手部材
２ａ  おねじ
３  蓋部材（キャップ）
３ａ  めねじ
４  確認窓
６  パイプ挿入口
８  透視筒
９  パイプ当接面
１０，１１  シールリング
１２  抜け止め部材
１３  樹脂パイプ
１４  コアリング
１４ａ  鍔部
１６  継手部材
１７  蓋部材（ブッシュ）
１８  確認窓
【図１】
2010121782.tif 000003
【図２】
2010121782.tif 000004
【図３】
2010121782.tif 000005
【図４】
2010121782.tif 000006
【図５】
2010121782.tif 000007
【図６】
2010121782.tif 000008
【図７】
2010121782.tif 000009